(57)【要約】【課題】非常時に高輝度点灯し続けることができ、しかも、ランプの交換の手間を大幅に省くと共にランプの点灯操作を容易にすることができる防犯用ライトを提供することにある。【解決手段】照明用光源９と、高輝度ランプ６と、照明用光源９と高輝度ランプ６とに電源電流を供給する電源電池４と、照明用光源９と高輝度ランプ６をオン・オフし、３位置に変位可能である照明操作スイッチ８とを有することを特徴とする。【選択図】図２
2006073475.tif 000002
【特許請求の範囲】
【請求項１】
照明用光源と、高輝度ランプと、
前記照明用光源と前記高輝度ランプとに電源電流を供給する電源電池と、
前記照明用光源と前記高輝度ランプをオン・オフする照明操作スイッチとを有すること
を特徴とする防犯用ライト。
【請求項２】
前記照明操作スイッチは、３位置に変位可能であること
を特徴とする請求項１記載の防犯用ライト。
【発明の詳細な説明】
【技術分野】
【０００１】
本発明は、照明用光源と非常時用高輝度ランプと３位置に変位可能である照明操作スイッチを有する防犯用ライトに関するものである。
【背景技術】
【０００２】
この種の従来の防犯用ライトとしては、図４に示すように、照明用光源１０２と、燃焼発光材と酸化剤及び着火用フィラメントが透明ガラス内に封入されたフラッシュバルブ１０１とを有し、照明用光源１０２と照明用光源１０２をオン・オフする照明用スイッチ１０４との直列回路と、フラッシュバルブ１０１とフラッシュバブル１０１をオン・オフするフラッシュ操作スイッチ１０６との直列回路とを電源電池１０７に並列接続されている。
（例えば、特許文献１参照）
【０００３】
そして、夜間等の照明時に、照明操作ノブ１０３により照明操作スイッチ１０４をオンすると、電源電池１０７の電源電流が照明用光源１０２に通電されて照明用光源１０２が点灯する。また、非常時においてフラッシュ操作ノブ１０５によりフラッシュ操作スイッチ１０６をオンにすると、電源電池１０７の電源電流がフラッシュバルブ１０１にも通電されてフラッシュバルブ１０１が閃光発光する。これにより、不審者の目を眩まして自分の身を守るための危険回避時間を稼ぐことができる。
【特許文献１】特開２００３−２７２４０１号公報
【発明の開示】
【発明が解決しようとする課題】
【０００４】
しかしながら、前記従来の防犯用ライトでは、複数回閃光発光するためには複数個のフラッシュバルブを装置本体に収容しなければならず、複数個のフラッシュバルブを収容したとしても収容した個数分だけしか閃光発光を行うことができないため、不審者を照らし続けることは出来なかった。しかも、閃光発光であるため、不審者の目を眩ますという目的が十分に達成されていなかった。また、一度使用したフラッシュバルブは使用した後に、未使用のフラッシュバルブと交換しなければならず手間がかかっていた。さらに、照明用操作スイッチとフラッシュ操作スイッチが別々であったため点灯操作が容易ではないという問題が指摘されていた。
【０００５】
そこで、本発明の目的は、前記課題を解決するものであって、非常時に高輝度点灯し続けることができ、しかも、ランプの交換の手間を大幅に省くと共にランプの点灯操作を容易にできる防犯用ライトを提供することにある。
【課題を解決するための手段】
【０００６】
本請求項１に係る発明は、照明用光源と、高輝度ランプと、前記照明用光源と前記高輝度ランプとに電源電流を供給する電源電池と、前記照明用光源と前記高輝度ランプをオン・オフする照明操作スイッチとを有することによって、前記目的を達成するものである。
【０００７】
また、本請求項２に係る発明は、本請求項1に係る発明の構成に加えて、前記照明操作スイッチは、３位置に変位可能であることによって、前記目的をさらに達成するものである。
【発明の効果】
【０００８】
本請求項１に係る発明によれば、照明用光源と、高輝度ランプと、前記照明用光源と前記高輝度ランプとに電源電流を供給する電源電池と、前記照明用光源と前記高輝度ランプをオン・オフする照明操作スイッチとを有することによって、非常時に高輝度ランプを点灯し続けることができる。さらに、高輝度ランプは寿命が長いためランプの交換の手間を大幅に省くことができる。
【０００９】
また、本請求項２に係る発明によれば、本請求項１の発明が奏する効果に加えて、前記照明操作スイッチは、３位置に変位可能であることによって、照明用光源と高輝度ランプの点灯操作を一つのスイッチで操作可能なため、点灯操作が容易となり、非常時でも点灯操作ミスを防止することができる。さらに、防犯用ライトの製作費の低減と製作時間の短縮となる。
【発明を実施するための最良の形態】
【００１０】
以下、本発明の実施の形態である一実施例を図１乃至図３に基づいて説明する。図１は防犯用ライトの斜視図、図２は防犯用ライトの断面図、図３は防犯用ライトの回路図である。
【００１１】
図２に示すように、防犯用ライトは、略円筒状の装置本体２を有し、この装置本体２内には電池収容室３が設けられている。この電池収容室３には電源電池４が直列状態で収容されている。電源電池４は、装置本体２の後端に設けられた充電用接続手段を有する後端カバー５を取り外すことによって交換可能になっている。
【００１２】
高輝度ランプ６は、装置本体２の内部で、かつ、電池収容室３の先端側に設けられたソケット７に着脱自在に装着され、装置本体２の先端に向かって高輝度点灯するように配置されている。高輝度ランプ６の位置は、反射鏡１０との関係を考慮し、光が装置本体２の先端に集光する位置に取り付けるのがよい。また、高輝度ランプ６は、ランプ効率がよく高輝度放電灯の一つであるメタルハライドランプを使用するのが好ましい。
【００１３】
照明用光源９である複数個の白色発光ダイオードは、装置本体２の内部で、かつソケット７よりさらに先端側に設けられた反射鏡１０に照明用光源用孔が形成され、この反射鏡１０の中心には高輝度ランプ用孔が形成され、高輝度ランプ用孔の外周位置に等間隔に複数個の白色発光ダイオードが、装置本体２の先端に向かって点灯するようにそれぞれ配置されている。図３では白色発光ダイオードの個数は４個であるが、特に個数は関係なく夜間等の照明時に支障のない十分な明るさが得られればよい。なお、照明用光源９は白色発光ダイオードに限られず、例えば、豆電球等の光源ランプの各種のものが使用できることは勿論である。
【００１４】
装置本体２の外周には照明操作スイッチ８が設けられ、この照明操作スイッチ８は、照明用光源９と高輝度ランプ６が同時に消灯するＡ位置、照明用光源９のみ点灯するＢ位置、照明用光源９と高輝度ランプ６が同時に点灯するＣ位置の３位置に変位可能である。
【００１５】
電源電池４は、充電式電池を用いていており、この充電式電池を充電するために装置本体２の後端に充電用接続手段を有する後端カバー５を設けている。充電式電池を使用しているため、電池の交換の手間を省くことができ、昼間充電しておけば夜間十分使用することが可能となり、ランニングコストを下げることもできる。  
【００１６】
透明カバー１１は、装置本体２の先端開口側に着脱自在に装着され、この透明カバー１１によって高輝度ランプ６及び照明用光源９が覆われている。この透明カバー１１を着脱することによって、高輝度ランプ６の交換及び照明用光源９の交換が可能となっている。
【００１７】
次に、防犯用ライトの回路構成を説明する。図３は照明操作スイッチ８がＢ位置にある場合の回路図である。図３に示すように、照明操作スイッチ８によって、照明用光源９が電源電池４に直列に接続されている。この場合は、照明用光源９が点灯する。Ａ位置は、照明操作スイッチ８をスライドさせることにより、電源電池４と照明用光源９及び高輝度ランプ６が回路を構成しないので、照明用光源９と高輝度ランプ６が同時に消灯する。Ｃ位置は、照明操作スイッチ８をスライドさせることにより、電源電池４と照明用光源９及び高輝度ランプ６が並列回路を構成するので、照明用光源９と高輝度ランプ６が同時に点灯する。
【００１８】
上記構成において、夜間等の照明時に照明操作スイッチ８をＢ位置にすると、電源電池４の電源電流が照明用光源９に通電されて照明用光源９が点灯する。また、非常時に照明操作スイッチ８をＣ位置にすると、電源電池４の電源電流が照明用光源９と高輝度ランプ６に通電されて照明用光源９と高輝度ランプ６が同時に点灯する。これにより、不審者の目を十分に眩ませて逃走防止時間等の対処時間を稼ぐことができる。
【００１９】
以上、この防犯用ライトでは、非常時に高輝度ランプ６を点灯し続けることができ、ランプの交換の手間を大幅に省くことが出来る。また、従来例では、図４に示すように、照明操作スイッチ１０４とフラッシュ操作スイッチ１０６を別々に設ける必要があるが、本発明では、一つの照明操作スイッチ８で照明用光源９と高輝度ランプ６の点灯操作が可能であるため、非常時でも点灯操作ミスを防止することができ、製作費の低減と製作時間の短縮となる。
【図面の簡単な説明】
【００２０】
【図１】防犯用ライトの斜視図。
【図２】防犯用ライトの断面図。
【図３】防犯用ライトの回路図。
【図４】従来の防犯用ライトの断面図。
【符号の説明】
【００２１】
１    ・・・  防犯用ライト
２    ・・・  装置本体
３    ・・・  電池収容室
４    ・・・  電源電池
５    ・・・  後端カバー
６    ・・・  高輝度ランプ
７    ・・・  ソケット
８    ・・・  照明操作スイッチ
９    ・・・  照明用光源
１０  ・・・  反射鏡
１１  ・・・  透明カバー
１００・・・  従来の防犯用ライト
１０１・・・  フラッシュバルブ
１０２・・・  照明用光源
１０３・・・  照明操作ノブ
１０４・・・  照明操作スイッチ
１０５・・・  フラッシュ操作ノブ
１０６・・・  フラッシュ操作スイッチ
１０７・・・  電源電池
【図１】
2006073475.tif 000003
【図２】
2006073475.tif 000004
【図３】
2006073475.tif 000005
【図４】
2006073475.tif 000006